(57)【要約】  高度調整可能なデスクプラットホームは、基本的に平坦な作業表面と前記作業表面と反対する下面を有するプラットホームと；前記下面に連結し、各々完全上昇位置と完全降下位置の間で移動できる第一の脚部材と第二の脚部材と；前記第一の脚部材と前記第二の脚部材と関連するラックピニオンギアシステムと；前記ラックギアシステムに関連し、前記ラックピニオンギアシステムを選択的に静止させ、前記完全上昇位置或いは前記完全降下位置で前記第一の脚部材と前記第二の脚部材を固持するのに適合であるラッチ機構と、を備える。
2017513663.tif 000002
【特許請求の範囲】
【請求項１】
基本的に平坦な作業表面と前記作業表面と反対する下面を有するプラットホームと；
前記下面に連結され、各々完全上昇位置と完全降下位置の間で移動できる第一の脚部材と第二の脚部材と；
前記第一の脚部材と前記第二の脚部材と関連するラックピニオンギアシステムと；
前記ラックピニオンギアシステムに関連し、前記ラックピニオンギアシステムを選択的に静止させ、前記完全上昇位置或いは前記完全降下位置で前記第一の脚部材と前記第二の脚部材を固持するのに適合であるラッチ機構と、
を備える高度調整可能なデスクプラットホーム。
【請求項２】
前記ラッチ機構はさらに前記ラックピニオンギアシステムを選択的に静止させ、前記完全上昇位置と前記完全降下位置の間の少なくとも一つの中間位置で前記第一の脚部材と前記第二の脚部材を固持するのに適合である、請求項１に記載の高度調整可能なデスクプラットホーム。
【請求項３】
前記ラックピニオンギアシステムは：
前記第一の脚部材に関連し、前記プラットホームの下面に摺動可能にマウントされる第一のラックギアと；
前記第二の脚部材に関連し、前記プラットホームの下面に摺動可能にマウントされる第二のラックギアと；
前記第一のラックギアと前記第二のラックギアと接触するピニオンギアと、
を備える請求項１に記載の高度調整可能なデスクプラットホーム。
【請求項４】
前記第一のラックギアと前記第二のラックギアは互いに基本的に平行に移動できる、請求項３に記載の高度調整可能なデスクプラットホーム。
【請求項５】
前記ピニオンギアが前記第一のラックギアと前記第二のラックギアの間に位置する、請求項４に記載の高度調整可能なデスクプラットホーム。
【請求項６】
前記ピニオンギアが前記プラットホームの下面に対し回転できる、請求項３に記載の高度調整可能なプラットホーム。
【請求項７】
前記第一のラックギアと第二のラックギアが各々リニアベアリングで前記プラットホームの下面に連結される、請求項３に記載の高度調整可能なデスクプラットホーム。
【請求項８】
さらに第一のトラックと第二のトラックを備え、前記第一のラックギアは前記第一のトラックに摺動可能にマウントされ、且つ前記第二のラックギアは前記第二のトラックに摺動可能にマウントされる、請求項３に記載の調整可能なデスクプラットホーム。
【請求項９】
さらに前記第一のラックギアを前記第一のトラックに連結する第一のスライド部材、及び前記第二のラックギアを前記第二のトラックに連結する第二のスライド部材を備える、請求項８に記載の調整可能なデスクプラットホーム。
【請求項１０】
前記ラッチ機構が前記ピニオンギアを選択的に係合するのに適合なラッチ部材を備える、請求項３に記載の高度調整可能なデスクプラットホーム。
【請求項１１】
前記ラッチ部材が前記ピニオンギアと係合するように解放可能にバイアスされ、前記ラッチ構造はさらに前記ラッチ部材を前記ピニオンギアから離脱させるようにユーザにより操作できるハンドルを備える、請求項１０に記載の高度調整可能なデスクプラットホーム。
【請求項１２】
前記ラッチ機構が前記ラッチ部材を前記ハンドルに連結するリンケージ部材を備える、請求項１１に記載の高度調整可能なデスクプラットホーム。
【請求項１３】
前記ラックギアシステムに関連する第二のラッチ機構をさらに備え、前記第二のラッチ機構は前記ラックピニオンギアシステムを選択的に静止させ、前記完全上昇位置或いは前記完全降下位置で前記第一の脚部材と前記第二の脚部材を固持する、請求項１に記載の高度調整可能なデスクプラットホーム。
【請求項１４】
前記第一の脚部材に関連する弾性部材をさらに備え、前記弾性部材が前記第一の脚部材が前記完全降下位置にある際の延長位置と前記第一の脚部材が前記完全上昇位置にある際の弛緩位置の間で移動できる請求項１に記載の高度調整可能なデスクプラットホーム。
【請求項１５】
前記弾性部材が前記ラックピニオンギア機構に連結される、請求項１４に記載の調整可能なプラットホーム。
【請求項１６】
前記第二の脚部材に関連する第二の弾性部材をさらに備え、前記第二弾性部材が前記第二の脚部材が前記完全降下位置にある際の延長位置と前記第二の脚部材が前記完全上昇位置にある際の弛緩位置の間で移動できる請求項１４に記載の調整可能なデスクプラットホーム。
【請求項１７】
前記第一の脚部材と前記第二の脚部材の各々は：
前記プラットホームの下面に連結される第一の脚部品と；
前記第一の脚部品に連結される第二の脚部品と、
を備え、
前記第二の脚部品が前記ラックピニオンギアシステムに連結される、
請求項１に記載の調整可能なデスクプラットホーム。
【請求項１８】
前記第一の脚部品が枢動可能に前記プラットホームの下面に接続される、請求項１７に記載の調整可能なデスクプラットホーム。
【請求項１９】
前記作業表面全体は基本的に平坦でありかつ障害物がない、請求項１に記載の調整可能なデスクプラットホーム。
【請求項２０】
前記作業表面が前記プラットホームと同延する、請求項１９に記載の調整可能なデスクプラットホーム。
【請求項２１】
前記プラットホームがプラスチック、木材、パーティクルボード、或いはカードボードの中の少なくとも一つからなる、請求項１に記載の調整可能なデスクプラットホーム。
【請求項２２】
前記作業表面が約１５インチから約３６インチの間の長さと、約１０インチと約２０インチの間の幅を画成する、請求項１に記載の調整可能なデスクプラットホーム。
【請求項２３】
前記プラットホームの下面に連結される持ち運びハンドルを備え、前記ハンドルが前記ハンドルの一部分が側面から前記プラットホームのエッジを越えて延びる持ち運び位置と、前記ハンドル全体が前記プラットホームのエッジから引っ込める引き込み位置の間で移動できる、請求項１に記載の調整可能なデスクプラットホーム。
【請求項２４】
さらに前記プラットホームの下面に連結するカバーを備え、前記カバーが少なくとも前記ラックピニオンギアシステムと前記ラッチ機構の一部分の上を延びる、請求項１に記載の調整可能なデスクプラットホーム。
【請求項２５】
前記プラットホームの下面が下面部材を備え、且つ前記プラットホームの作業表面が上面部材を備え、前記上面部材が前記下面部材のトップ面にマウントされる、請求項１に記載の調整可能なデスクプラットホーム。
【請求項２６】
前記第一の脚部材と前記第二の脚部材が前記下面部材に連結される、請求項２５に記載の調整可能なデスクプラットホーム。
【請求項２７】
前記第一の脚部材と前記第二の脚部材が前記下面部材の中の複数の穴を通じて前記下面部材に連結される、請求項２６に記載の調整可能なデスクプラットホーム。
【請求項２８】
前記プラットホームの下面が下面部材を備え、且つ前記プラットホームの作業表面が上面部材を備え、前記上面部材が前記下面部材のトップ面にマウントされ、且つ前記下面部材が前記弾性部材の移動を許容するように、少なくとも一つの凹所を備える、請求項１５に記載の調整可能なデスクプラットホーム。
【請求項２９】
前記上面部材が滑らかで平坦なトップ面を備える、請求項２５に記載の調整可能なデスクプラットホーム。
【請求項３０】
請求項１に記載のプラットホームを使用する方法であって、
前記ラッチ機構を離脱させる工程と、
前記プラットホームを持ち上げて、前記第一の脚部材と前記第二の脚部材を前記完全降下位置から前記完全上昇位置まで上昇させる工程と、
前記ラッチ機構を再係合させる工程と、
を備える方法。
【請求項３１】
前記ラッチ機構を離脱させる工程と、
前記プラットホームを降下させ、前記第一の脚部材と前記第二の脚部材を前記完全上昇位置から前記完全降下位置まで降下させる工程と、
前記ラッチ機構を再係合させる工程と、
をさらに備える請求項２５に記載の方法。
【請求項３２】
前記ラッチ機構を離脱させる工程と、
前記プラットホームを降下させ、前記第一の脚部材と前記第二の脚部材を前記完全上昇位置から前記完全上昇位置と前記完全降下位置の間の中間位置まで降下させる工程と、
前記ラッチ機構を再係合させる工程と、
をさらに備える請求項２５に記載の方法。
【請求項３３】
高度調整可能なデスクプラットホームであり、
基本的に平坦な作業表面と前記作業表面と反対する下面を有するプラットホームと；
前記下面に連結し、各々完全上昇位置と完全降下位置の間で移動できる第一の脚部材と第二の脚部材と、を備え、前記第一と第二の脚部材の中の少なくとも一つが：
前記プラットホームの下面に枢動可能に接続される第一の脚部品と、
前記第一の脚部品に連結される第二の脚部品と、
前記プラットホームの下面の上に位置し、前記第二の脚部品が接続されるスライダーと、
前記スライダを前記プラットホームの下面の上に前記スライダーを基本的に静止させるのに適合であり、前記プラットホームに対して前記第一の脚部品と第二の脚部品を定位置に固定するのに適合であるラッチ機構であって、前記スライダーを離脱させ、前記第一の脚部品と第二の脚部品の前記プラットホームに対する移動を許容するように、前記ラッチ機構がユーザにより操作できるラッチ機構と、
を備える高度調整可能なデスクプラットホーム。
【請求項３４】
前記ラッチ機構は、前記スライダーと係合して、前記プラットホームの下面の上に前記スライダーを基本的に静止させるように弾性的にバイアスされる、請求項３３に記載の調整可能なデスクプラットホーム。
【請求項３５】
前記ラッチ機構は、ユーザにより操作でき、前記スライダーを離脱させ、前記第一の脚部品と前記第二の脚部品の前記プラットホームに対する移動を許容するハンドルを備える、請求項３４に記載の調整可能なデスクプラットホーム。
【請求項３６】
前記作業表面が約２４インチから約６０インチの間の長さと、約１８インチと約３６インチの間の幅を画成する、請求項１に記載の調整可能なデスクプラットホーム。
【発明の詳細な説明】
【技術分野】
【０００１】
本発明は概ね作業表面に関し、そして具体的には高度調整可能なデスクプラットホームに関する。
【背景技術】
【０００２】
デスクプラットホームは当分野で知られている。デスクプラットホームは作業表面の高さを上げるために既存の表面（例えば、従来のデスク或いはテーブル）の上で利用することができる。代わりに、デスクプラットホームは椅子、ソファ、或いは利用可能な作業表面に欠けるほかの表面から作業する時に人の膝の上で使用されることが可能である。デスクプラットホームの高さを変えるために、当該プラットホームは上昇と降下位置の間で移動できる調整可能な脚を備えることができる。
【発明の概要】
【課題を解決するための手段】
【０００３】
実施例によれば、高度調整可能なデスクプラットホームは、基本的に平坦な作業表面と前記作業表面と反対する下面を有するプラットホームと；前記下面に連結し、各々完全上昇位置と完全降下位置の間で移動できる第一の脚部材と第二の脚部材と；前記第一の脚部材と前記第二の脚部材と関連するラックピニオンギアシステムと；前記ラックピニオンギアシステムに関連し、前記ラックピニオンギアシステムを選択的に静止させ、前記完全上昇位置或いは前記完全降下位置で前記第一の脚部材と前記第二の脚部材を固持するのに適合であるラッチ機構を備える。実施例によれば、プラットホームは上面と下面カバー及び配合される作業表面を備えることができる。
【０００４】
実施例によれば、プラットホームを使用する方法は、前記ラッチ機構を離脱させる工程と、前記プラットホームを持ち上げて、前記第一の脚部材と前記第二の脚部材を前記完全降下位置から前記完全上昇位置まで上昇させる工程と、前記ラッチ機構を再係合させる工程と、を備える。
【０００５】
添付図面と併せて成された以下の説明から、他の特徴と利点が明らかになり、図面の中で、例示と実例として、本発明の実施例を開示した。
【０００６】
添付図面に例示するように、以下の説明から、本発明の特徴と利点が明らかになり、類似する参照番号が同一、機能的に類似、構造的に類似である素子を指し示す。
【図面の簡単な説明】
【０００７】
【図１】図１は高度調整可能なデスクプラットホームの実施例の正面、斜視図である。図１は完全上昇位置にある高度調整可能なデスクプラットホームを示す。
【図２】図２は図１の高度調整可能なデスクプラットホームの正面、斜視、分解図である。
【図３】図３は図１の高度調整可能なデスクプラットホームの正面図である。
【図４】図４は図１の高度調整可能なデスクプラットホームの側面図である。
【図５】図５は完全降下位置にあると示した図１の高度調整可能なデスクプラットホームの正面、斜視図である。
【図６】図６は完全降下位置にあると示した図１の高度調整可能なデスクプラットホームの正面図である。
【図７】図７は図１の高度調整可能なデスクプラットホームの一部分の底面、斜視図である。
【図８】図８は図１の高度調整可能なデスクプラットホームの一部分のもう一つの底面、斜視図である。
【図９】図９は高度調整可能なデスクプラットホームのもう一つの実施例の底面、斜視、部分分解図である。
【図１０】図１０は図９の一部分の部分分解、斜視図である。
【図１１】図１１は高度調整可能なデスクプラットホームの実施例の底面、斜視図である。
【図１２】図１２は高度調整可能なデスクプラットホームの部分分解、斜視図である。
【図１３】図１３は完全降下位置にある高度調整可能なデスクプラットホームの実施例の側面図である。
【図１４】図１４は完全降下位置にある高度調整可能なデスクプラットホームの実施例の斜視図である。
【図１５】図１５は完全上昇位置にある高度調整可能なデスクプラットホームの実施例の斜視図である。
【図１６】図１６は上昇位置にある高度調整可能なデスクプラットホームの実施例の斜視図である。
【発明を実施するための形態】
【０００８】
以下に本発明の実施例を詳細に説明する。実施例を説明する際、分かりやすいように、特定の技術を採用する。しかし、本発明はこのように選択された特定技術に制限されることを意図しているわけではない。特定の実施例を説明するが、これは例示のためにだけなされたと理解されたい。本発明の趣旨及び範囲から逸脱することなく、他の部品と構造を利用できることを当業者は理解されよう。
【０００９】
本発明は例えば読み物、文房具、コンピュータ、及び他の電子部品などを支えるために使用できる高度調整可能なデスクプラットホームに関する。様々の違う高度で作業することをサポートするために、以下に詳細に説明するように、デスクプラットホームの高度は調整できる。
【００１０】
図１−４は完全上昇位置にある高度調整可能なデスクプラットホーム１００の実施例を示し、且つ図５−６は完全降下位置にあるデスクプラットホーム１００を示す。示していないが、デスクプラットホーム１００は完全上昇と完全降下位置の間の１つまたは複数の中間位置に位置することもできる。
【００１１】
図１を参照して、デスクプラットホーム１００は基本的に平坦な作業表面１０４を画成する上面及び作業表面１０４と反対する下面１０６を有するプラットホーム１０２を備えることができる。図１に示すように、作業表面１０４はプラットホーム１０２の上面全体を占めることができる。同じく示すように、作業表面１０４は基本的に平坦で、作業表面１０４の上でものを置くことを干渉する障害物を一切有しないことができる。しかし、他の実施例は作業表面１０４の中に、筆記用具或いは他のものを保持する凹部或いはポケット、或いはものが作業表面１０４から転がって落ちることを防止する隆起エッジのような特徴（図示せず）を備えることができる。プラットホーム１０２は様々な材料から構成することができ、その材料は、プラスチック、合成物、木材、パーティクルボード、カードボード、又は当技術分野において既知の他の材料、或いはそれらの組み合わせからなる。以下に図１２−１６を参照して説明するように、美観を強める或いはプラットホームのプロフィールを増やすために、プラットホームのプラットホーム１０２は付加の部品を備えることができる。
【００１２】
なお図１を参照して、作業表面１０４は約１５インチと約３６インチの間、例えば、約２０インチと約３０インチの間の長さＬを画成することができる。作業表面１０４は約１０インチと２０インチの間、例えば、約１２インチと約１６インチの間の幅Ｗを画成することができる。しかし、本開示から、作業表面１０４の他のサイズと形状が可能であることを当業者は理解されよう。例えば、作業表面１０４は代わりに約２４インチと６０インチの間の長さＬと、約１８インチと約３６インチの間の幅Ｗを画成することができる。
【００１３】
なお図１−４を参照して、デスクプラットホーム１００はプラットホーム１０２の下面１０６に連結する第一の脚部材１０８と第二の脚部材１１０を備えることができる。完全上昇位置、あるいは中間位置の中のどれかにある際に、第一の脚部材１０８と第二の脚部材１１０はともに既存表面、例えばオフィスデスク、ソファ、または他の表面の上でデスクプラットホーム１００を支持する。図２に最もよく示したように、第一と第二の脚部材１０８，１１０は各々ブラケット１１２又は当分野において既知の他の構造を利用して枢動可能にプラットホーム１０２に連結できる。実施例では、第一と第二の脚部材１０８，１１０は各々２つのアーム部材とこの２つのアーム部材の間に位置する水平部材を備えることができる。
【００１４】
なお図２を参照して、第一の脚部材１０８と第二の脚部材１１０の各々は相互に繋がる二つの部分を備えることができる。例えば、第一の脚部材１０８と第二の脚部材１１０の各々は、例えばブラケット１１２を利用してプラットホーム１０２の下面１０６に連結する第一の脚部品１１４を備えることができる。各脚部材１０８，１１０は例えばネジ、ボルト、リベット、ヒンジ、又は他の構造を利用して第一の脚部品１１４に枢動可能に連結する第二の脚部品１１６を備えることができる。第一と第二の脚部品１１４，１１６を取り入れることで、完全上昇と完全降下位置の間で移動する際に、各脚部材１０８，１１０をエルゴノミック且つコンパクトな方式で折りたたむことができる。第一の脚部材１０８或いは第二の脚部材１１０が折りたたんだ際に、それぞれの第一の脚部品１１４は第一方向で枢動するように構成され、それぞれの第二の脚部品１１６は第二方向で枢動するように構成される。例えば、第一の脚部品１１４は各々広い部分と狭い部分を備えることができ、狭い部分はそれぞれの第二の脚部品１１６のアームの間に位置する。そして、第一と第二の脚部品１１４，１１６と第一と第二の脚部材１０８，１１０はそれらが完全降下位置にある際に、第一と第二の部品１１４，１１６と第一と第二の脚部材１０８，１１０が作業表面１０４に対し全て基本的に水平に配置されるように構成することができる。
【００１５】
しかし、本開示から、代わりの実施例は単一の剛性部品である或いは互いに接続する複数の部品を有する脚部材１０８，１１０を備えることが可能であることを当分野の当業者は理解されよう。実施例によれば、以下により詳細に説明されるように、各第二の脚部品１１６の一部分はラックピニオンギアシステム（Rack and pinion gear system）に連結できる。
【００１６】
図７と８を参照して、本発明によるラックピニオンギアシステム１２０を示す。完全上昇位置、完全降下位置、或いはその間の一つまたは複数の中間位置において脚部材１０８，１１０（図７と８に部分的に示す）を解放可能に保持するために、ラックピニオンギアシステム１２０は一つまたは複数のラッチ機構と併せて使用することができる。
【００１７】
ラックピニオンギアシステム１２０は第一の脚部材１０８に関連する第一のラックギア１２２と、第二の脚部材１１０に関連する第二のラックギア１２４を備えることができる。図に示すように、第一と第二のラックギア１２２，１２４は、例えばリニアベアリング１２６或いは当分野において既知の他の構造を利用して、プラットホーム１０２の下面１０６に摺動可能にマウントできる。従って、第一のラックギア１２２と第二のラックギア１２４は例えば図８で見るように紙面に入る或いは紙面から出るように、互いに基本的に平行的に下面１０６に沿って摺動することができる。
【００１８】
完全上昇と完全降下位置の間で第一の脚部材１０８を移動させることにより第一のラックギア１２２が例えば、リニアベアリング１２６内でプラットホームの下面１０６に沿って摺動するように、第一の脚部材１０８は例えばその第二の脚部品１１６で第一のラックギア１２２連結することができる。同様に、完全上昇と完全降下位置の間で第一の脚部材１１０を移動させることにより第二のラックギア１２４が下面１０６に沿って摺動するように、第二の脚部材１１０は例えばその第二の脚部品１１６で第二のラックギア１２４に連結することができる。実施例によれば、第一と第二の脚部材１０８，１１０を同時に上昇と降下させることにより、第一のラックギア１２２と第二のラックギア１２４は基本的に平行であるが、反対の方向で移動できる。
【００１９】
なお図７と８を参照して、ラックピニオンギアシステム１２０は第一と第二のラックギア１２２，１２４と接触するように位置するピニオンギア１３０を備えることができる。例えば、ピニオンギア１３０は第一と第二のラックギア１２２，１２４の移動経路の間でプラットホーム１０２の下面１０６に回転可能にマウントできる。それらとピニオンの相互係合により、第一と第二のラックギア１２２，１２４は基本的に平行であるが反対の方向での基本的に比例する移動に制限される。その結果として、第一の脚部材１０８と第二の脚部材１１０の移動は同期される。なお、ピニオン１３０の回転防止は第一と第二のラックギア１２２，１２４を静止させることができ、そして、対応する第一と第二の脚部材１０８，１１０の位置を（例えば、完全上昇位置、完全降下位置、或いはその間の中間位置に）基本的にロッキングできる。
【００２０】
なお図７と８を参照して、デスクプラットホーム１００はピニオンギア１３０を係合し且つ静止させるように、或いは、代わりに、ピニオンギア１３０を離脱させるように操作できるラッチ機構を備えることもできる。その結果として、ラッチ機構は第一と第二の部材１０８，１１０が定位置にロッキングされるか、或いはプラットホーム１０２に対して自由に移動できるかをコントロールできる。代わりの実施例はラックピニオンギアシステム１２０のいくつか他の部分、例えば、ラックギア１２２、１２４又はそれに関連するいくつか他の部分を係合するラッチ機構を備えることができる。
【００２１】
ラッチ機構はユーザによりプラットホーム１０２に対して移動、例えば、枢動できるハンドル１３２を備えることができる。ハンドル１３２はピニオンギア１３０を係合するのに適合なラッチ部材１３４（図２と７）に接続できる。例えば、ハンドル１３２はリンケージ部材１３６によりラッチ部材１３４に接続できる。リンケージ部材１３６はラッチ部材１３４の一部分を水平方向に移動させ、かつ、ピニオンギア１３０に係合させることができる。実施例によれば、ハンドル１３２は枢動ブロック１３３の対向する対でプラットホーム１０２の下面１０６に枢動可能にマウントできるが、他の構造は可能である。
【００２２】
実施例によれば、ラッチ部材１３４がピニオンギア１３０を垂直に静止させるように、ラッチ部材１３４をピニオンギア１３０と係合するようにバイアスできる。その結果として、ユーザによるラッチ機構の離脱がない状態で、ラッチ機構はラックピニオンギアシステム１２０をロッキングし、且つ第一と第二の脚部材１０８，１１０を基本的に静止させる。実施例によれば、ラッチハウジング１３８に関連するバネ或いは他の弾性部材はピニオンギア１３０と係合するようにラッチ部材１３４をバイアスできるが、ほかの構造が利用可能である。例えば、それに或いは代わりに、ハンドル１３２に関連するバネ或いは他の弾性部材はピニオンギア１３０と係合するようにラッチ部材１３４をバイアスできる。ユーザが第一と第二の脚部材１０８，１１０の位置を変えようとする時、ユーザはハンドル１３２を枢動させることができ、それがまたラッチ部材１３４をピニオンギア１３０に再係合させ、従って、ユーザがデスクプラットホームを所望の高さに移動させることを許容する。ハンドル１３２の解放はラッチ部材１３４をピニオンギア１３０に再接合させ、従ってピニオンギア１３０を静止させ且つプラットホーム１０２に対する第一と第二の脚部材１０８，１１０の位置を基本的にロッキングする。図２，３と６に最もよく示すように、デスクプラットホーム１００は第一と第二のラッチング機構を備えることができ、その両者が基本的に先に説明した通りである。よって、プラットホーム１０２に対する第一と第二の脚部材１０８，１１０の位置を変えるために、ユーザは第一と第二のラッチ機構両方を離脱させることが必要であるかもしれない。
【００２３】
なお図７と８を参照して、一つまたは複数の弾性部材１４０、例えばバネ或いは弾性体装置を提供し、プラットホーム１０２に対し第一と第二の脚部材１０８，１１０をプリロード或いはバイアスできる。例えば、示した実施例において、一つの弾性部材１４０を一つの端で第二のラックギア１２４に留め、且つ反対の端でプラットホーム１０２の下面１０６に留めることができる。弾性部材１４０は、脚部材１１０を完全上昇位置から完全降下位置に向かって移動させることが弾性部材１４０を延長し、従ってこの降下方向における移動に抵抗を提供するように配置される。それに、脚部材１１０を完全降下位置から完全上昇位置に向かって移動させることは弾性部材１４０を緩めることができ、従ってデスクプラットホーム１００を上昇位置に向かって移動させることを促す持上げ補助を提供する。図７と８に示すように、もう一つの弾性部材１４０も第一脚部材１０８と第一のラックギア１２２に接続するように提供できる。例えば十分な隙間を提供するように、弾性部材１４０の近くでプラットホーム１０２の下面１０６の中で凹所を提供するが、他の構造が利用可能である。弾性部材１４０は示された構造に限らない。むしろ、本開示に基づいて当業者が理解するように、他の構造は可能である。
【００２４】
図８に示すように、完全降下位置にある際、下面１０６に対して適合な位置で第一且つ／又は第二の脚部材１０８，１１０を維持するように、一つまたは複数のスタンドオフ１５０をプラットホーム１０２の下面１０６に接続できる。
【００２５】
大体に図１と６を参照して、デスクプラットホーム１００の高さはユーザによって彼或いは彼女の需要又は環境に適合するように調整できる。例えば、図６は完全降下位置にあるデスクプラットホームを示す。ハンドル１３２を枢動させることで、ユーザはラッチ機構をラックピニオンギアシステム１２０から離脱でき、従って第一と第二の脚部材１０８，１１０がオプションの弾性部材４０により提供された「持ち上げ補助」の元でプラットホーム１０２に対して上昇することを許容する。そしてユーザはプラットホーム１０２を中間位置の中の一つ、或いは完全上昇位置に移動させ、且つハンドルを解放しラッチ機構とラックピニオンギアシステム１２０を再係合させ、従って第一と第二の脚部材１０８，１１０を基本的に定位置にロッキングできる。図１は完全上昇位置にあるデスクプラットホーム１００を示す。使用後、或いは位置の変更が必要な際、ユーザはハンドル１３２を再度枢動させ、ラックピニオンギアシステム１２０からラッチ機構を離脱させ、プラットホーム１０２を所望の位置に移動できる。格納する場合、ユーザはプラットホーム１０２を図６に示す完全降下位置に移動させ、格納するための、或は座るときに利用するコンパクトな構造を提供できる。プラットホーム１０２の完全上昇位置から完全降下位置に向かう移動が弾性部材１４０を延長させ、従って降下動作に減衰効果を提供する。
【００２６】
図９は高度調整可能なデスクプラットホーム１００のもう一つの実施例の底面、斜視、部分分解図を示す。図１０は図９の一部分の部分分解、斜視図を示す。同じ参照数字は図９と１０で使用され、図１−８で示した特徴と同じか基本的に類似のアイテムを識別する。以下に、図１−８の実施例と図９−１０の実施例の間の著しい違いだけを説明する。
【００２７】
図１０を参照して、デスクプラットホーム１００はトラック１６０を使って第一と第二のラックギア１２２，１２４をプラットホーム１０２の下面に連結できる。図に示すように、トラック１６０の各々はトラック１６０の上を延びるマウンティングブラケット１６２を利用してプラットホーム１０２の下面に固定されるが、他の構造は可能である。例えば、トラック１６０は代わりに直接プラットホームにネジ止めできる。
【００２８】
なお図１０を参照して、一つ又は複数のスライド部材１６４は各ラックギア１２２、１２４をそれぞれのトラック１６０に接続できる。実施例によれば、トラック１６０はスライド部材１６４の内部輪郭を補足する外部輪郭を画成できる。その結果として、スライド部材１６４はスライディング部材１６４のトラック１６０に沿う摺動を許容するように、トラック１６０上に保たれる。ラックギア１２２，１２４は同様に例えばファスナー、ボンディング、接着剤あるいは他の構造を利用してそれぞれのスライディング部材１６４に接続される。図１−８の実施例と同じように、第二の脚部品１１６はラックギア１２２，１２４の上のマウンティングタブ１６８と、第二の脚部品１１６の上に位置するそれぞれのファスナー１６６を利用してそれぞれのラックギア１２２，１２４に連結できるが、他の構造は可能である。
【００２９】
図９を参照して、デスクプラットホーム１００の実施例は持ち運びハンドル１７０を備えることができる。持ち運びハンドル１７０はユーザにより使用され、デスクプラットホームの運搬を容易にできる。図９に示すように、ハンドル１７０はブラケット１７２を利用してプラットホームの下面にマウントできる。ハンドルはブラケット１７２内で摺動し、ハンドル１７０が持ち運び位置と引き込み位置の間で移動することを許容できる。折り曲げ端部１７３又は他の固持構造は持ち運び位置にある際にハンドル１７０がブラケット１７２から分離することを防ぐ。
【００３０】
引き込み位置にある際に、ハンドル１７０のどの部分も側面からプラットホームの周辺を越えて突出しないように、ハンドル１７０全体がプラットホームの隣接するエッジの後ろに位置できる。延長位置において、ハンドル１７０の一部分は側面からプラットホーム１０２の周辺を越えて伸び、ユーザがつかむ表面を提供できる。
【００３１】
図９に示すように、凹所１７４はトラック１６０又は他の部品の近くでプラットホーム１０２の下面１０６の中で提供され、デスクプラットホーム１００が低い輪郭を有することを容易にする。さらに、デスクプラットホーム１００はプラットホーム１０２の下面に連結するカバー１７６を備えることができる。図に示すように、カバー１７６はラックピニオンギアシステム及びラッチ機構の全体或いは基本的に一部分の上を延びることができる。さらに又は代わりに、カバー１７６はトラック１６０と関連部品の上を延びることができる。その結果として、カバー１７６はデスクプラットホーム１００の機械部品（例えば、全てではあるが、脚１０８，１１０と露出する必要のある他の部品を除外）の多く或いは全てを隠すことができる。これがデスクプラットホーム１００の美観と安全性を向上できる。図９を参照して、ブラケット１８０は（例えば、ネジ又は他のファスナーを利用して）プラットホーム１０２の下面１０６、及びカバー１７６に固定し、カバー１７６をプラットホーム１０２の上に取り付けることができる。さらに或いは代わりに、他のファスナー、接着剤、又は既知の構造はカバー１７６をプラットホームに取り付けるために使用できる。
【００３２】
図１１に示すように、カバー１７６もプラットホーム１０２の下面に取り付けられるように構成でき、プラットホームの下面はワッフル状リッジ１７５を備えることができる。これらのワッフル状リッジはプラットホーム１０２の重量を下げるとともにその構造完全性を維持することに役立てる。
【００３３】
図１２に示すように、プラットホーム１０２はさらにカバー１７８と、配合される作業表面１０５を備えることができる。配合される作業表面１０５はカバー１７８のトップ面の上に配合するように構成できる。配合される作業表面１０５は例えばデテント、スナップ、又は他の既知構造を利用してカバー１７８の上にはめ込むことができ、或いは代わりに、ファスナー、ボンディングなどでカバー１７８に締め付けることができる。配合される作業表面１０５は一対の丸いエッジを有することができ、それがデスクプラットホーム１００の美観を向上できる。ハンドル１３２の移動を許容するように、カバー１７８はサイドキャビティ１７８を備えることができる。ブラケット１１２がカバー１７８に取り付けられるように、カバー１７８はさらにネジ又は他のファスナーを挿入できる穴を備えることができる。カバー１７８はさらに凹所を備え、弾性部材１４０の移動を許容できる。
【００３４】
図１３、１４と１５に示すように、配合される作業表面１０５は定位置に配置される際にカバー１７８と同一平面上に置ける。さらに、図１３で見られるように、第一と第二の脚部材１０８，１１０はプラットホーム１０２の下方に畳まれることができる。これはデスクプラットホーム１００のコンパクトな格納を可能にする。図２に関して詳しく説明したように、図１５で見られるように、第一と第二の脚部材１０８，１１０はコンパクトな格納のためにプラットホーム１０２の下方で上昇できる。
【００３５】
図１６は高度調整可能なデスクプラットホームの実施例を示し、その中で、配合される作業表面１０５は配合される作業表面１０５の上面の上の美的デザインを備えることができる。美的選択に基づいて、配合される作業表面１０５は違う色と材料で形成できることを当業者は理解されよう。実施例によれば、様々な違う作業表面１０５に違う美的特性を与えることができる。デスクプラットホーム１００の外観を変えるために、違う作業表面１０５は互換可能にカバー１７８に取り付けられる。
【００３６】
この明細書で例示され且つ論述された実施例は当業者に発明者が既知の本発明を製作し且つ使用する最良の方法を教えることだけを意図する。この明細書の如何なる内容も本発明の範囲を制限すると見なされない。例えば、特徴（例えば、ロッキング機構）の上プラットホームと下プラットホームに対する配置は裏返しにされることが可能である。提案された全ての実例は代表的であり、且つ限定するわけではない。以上の教示に鑑みて、当業者が理解するように、本発明から逸脱することなく、本発明の前述実施例は修正又は変更できる。従って、請求項及びそれらの同等物の範囲の中で、本発明は具体的に説明したものと違うように実践できる。
【符号の説明】
【００３７】
１００  デスクプラットホーム
１０２  プラットホーム
１０４，１０５  作業表面
１０６  プラットホームの下面
１０８  第一の脚部材
１１０  第二の脚部材
１１２  ブラケット
１１４  第一の脚部品
１１６  第二の脚部品
１２０  ラックピニオンギアシステム
１２２  第一のラックギア
１２４  第二のラックギア
１２６  リニアベアリング
１３０  ピニオンギア
１３２  ハンドル
１３３  枢動ブロック
１３４  ラッチ部材
１３６  リンケージ部材
１３８  ラッチハウジング
１４０  弾性部材
１５０  スタンドオフ
１６０  トラック
１６２  マウンティングブラケット
１６４  スライド部材
１６６  ファスナー
１６８  マウンティングタブ
１７０  ハンドル
１７２  ブラケット
１７３  折り曲げ端部
１７４  凹所
１７５  ワッフル状リッジ
１７６，１７８  カバー
１７９  サイドキャビティ
１８０  ブラケット
【図１】
2017513663.tif 000003
【図２】
2017513663.tif 000004
【図３】
2017513663.tif 000005
【図４】
2017513663.tif 000006
【図５】
2017513663.tif 000007
【図６】
2017513663.tif 000008
【図７】
2017513663.tif 000009
【図８】
2017513663.tif 000010
【図９】
2017513663.tif 000011
【図１０】
2017513663.tif 000012
【図１１】
2017513663.tif 000013
【図１２】
2017513663.tif 000014
【図１３】
2017513663.tif 000015
【図１４】
2017513663.tif 000016
【図１５】
2017513663.tif 000017
【図１６】
2017513663.tif 000018
【国際調査報告】
2017513663.tif 000019
2017513663.tif 000020